(57)【特許請求の範囲】
【請求項１】
エアレスポンプの作動によって、容器（２）の内部の収容部（３）に挿入されたピストンが上昇しながら内容物を吐き出し、前記ピストンの本体（１０）の外周に沿ってシリコンパッキング部（２０）が突設され、前記容器（２）の収容部（３）の内壁面と全体的に均一に密着して気密を確保するエアレスタイプ化粧品容器のピストンにおいて、
前記シリコンパッキング部（２０）は、外側に、容器の収容部に対する気密を確保しながら水平状態の均衡を維持するように、上下にメイン密着突起（２２）と補助密着突起（２３）が突設され、前記補助密着突起（２３）には、メイン密着突起と補助密着突起の間に形成される空間部（２４）の真空防止のための開口（２３ａ）が形成されたことを特徴とする、エアレスタイプ化粧品容器のピストン。
【請求項２】
エアレスポンプの作動によって、容器（２）の内部の収容部（３）に挿入されたピストンが上昇しながら内容物を吐き出し、前記ピストンの本体（１０）の外周に沿ってシリコンパッキング部（２０）が突設され、前記容器（２）の収容部（３）の内壁面と全体的に均一に密着して気密を確保するエアレスタイプ化粧品容器のピストンにおいて、
前記ピストンの本体（１０）は、容器の収容部（３）と対応するように形成され、前記ピストン本体（１０）の外周に沿って内部が中空（２０ａ）となり、外側にラウンド形密着突起（２１）を持つシリコンパッキング部（２０）が上下に結合して容器収容部３の内壁面と全体的に均一に密着して気密を確保するようにしたことを特徴とする、エアレスタイプ化粧品容器のピストン。
【発明の詳細な説明】
【技術分野】
【０００１】
本発明はエアレスポンプの作動で容器内部のピストンが上昇しながら内容物を吐き出すエアレスタイプ化粧品容器のピストンに係り、より詳しくはピストン本体の外周に沿ってシリコンパッキング部をインサート成形で一体的に結合して製造するので、製造生産性の向上はもちろんのこと、ピストンの形状に関係なく容器との優れた気密性を確保することができ、内容物の漏出防止及び内容物の吐出使用が効果的であり、容器のデザインを多様に具現することができ、商品性を極大化するエアレスタイプ化粧品容器のピストンに関する。
【背景技術】
【０００２】
一般に、液状またはゲル状の化粧品内容物を保存してから定量を吐き出して使うために、主にエアレスタイプ化粧品容器を使っている。
【０００３】
このようなエアレスタイプ化粧品容器は、内部の収容部にピストンが内装された容器と、容器の下部の仕上げキャップと、容器の上部に結合され、押圧動作によって容器の内部に真空圧力を発生することにより、ピストンを上昇させて内容物をノズルを通じて定量吐き出すエアレスポンプと、上部仕上げキャップとからなる。
【０００４】
このような従来のエアレスタイプ化粧品容器は、上部仕上げキャップを分離した状態でエアレスポンプを押圧するポンピング動作によって容器の内部収容部のピストンが上昇して内容物を定量吐き出す。
【０００５】
しかし、前記のような従来のエアレスタイプ化粧品容器は、ピストンの気密の確保がとても難しい問題点があった。
【０００６】
すなわち、従来には、ピストンを合成樹脂材で成形して製作し、容器の内部収容部に直接密着するように挿入して使うため、容器の内部収容部との優れた密着性を確保することができないので、気密性が低下するしかない。
【０００７】
特に、前記ピストンが円形タイプのように中心から外周までの距離が一定した形態の場合、容器の内部収容部から加わる力が全体として一定であって、どの程度の均一な密着力を確保することができるが、円形以外の三角形、四角形、五角形、六角形、八角形のような多角形の構造、または楕円形、半円形その他の自由曲線形のように中心から外周までの距離がそれぞれ異なるか、あるいは多角形の構造において角部と側面部のように接触面積がそれぞれ異なる形態の場合には、ピストンの外側に容器の内部収容部から加わる力がそれぞれ異なるため、ピストンの外側面が屈曲する変形が発生して、均一な密着力を確保することができないので、気密性が低下する。
【０００８】
このように、ピストンの気密性が低下すれば、内容物が漏出して損失されるのはもちろんのこと、容器の内部に真空圧力を効果的に発生させることができないため、ピストンの上昇による内容物の定量吐出の作動が円滑でない問題点を引き起こす。
【０００９】
また、従来のエアレスタイプ化粧品容器は、ピストンの気密問題のために、円形の外に多様な形状のデザインを具現することに限界を持っていた。
【００１０】
それで、本出願人は前記のような従来のエアレスタイプ化粧品容器のピストン構造を改善して、機能的な面だけでなく、容器のデザインの面でも多様なデザインを具現することができる技術を開発しようと研究・努力した。
【発明の概要】
【発明が解決しようとする課題】
【００１１】
本発明は前述したような従来技術が持つ諸般問題点を解決するためになされたもので、ピストン本体の外周に沿ってシリコンパッキング部をインサート成形で一体的に結合して製造することにより、製造生産性の向上はもちろんのこと、ピストンの形状に関係なく容器との優れた気密性を確保することができ、内容物の漏出防止及び内容物の吐出使用を効果的に提供することにその目的がある。
【００１２】
本発明は、容器の内部でピストンが上昇作動するとき、容器との摩擦を最小化し、水平均衡をよく維持してピストンの上昇作動性を改善することにより、内容物の吐出使用の効果を一層優秀に提供することにその目的がある。
【００１３】
本発明は、ピストンの形状に関係なく、容器との優れた気密性を確保することができ、容器の形状を従来とは異なり、三角形、四角形、五角形、六角形、八角形などのような多角形の構造、あるいは楕円形、半円形その他の自由曲線形のように多様に具現することができ、優れた商品性を提供することにその目的がある。
【課題を解決するための手段】
【００１４】
このような本発明は、エアレスポンプの作動によって、容器の内部の収容部に挿入されたピストンが上昇しながら内容物を吐き出すエアレスタイプ化粧品容器のピストンであって、前記ピストンの本体の外周に沿ってシリコンパッキング部が突設され、容器収容部の内壁面と全体的に均一に密着して気密を確保するようにしたことにその特徴がある。
【００１５】
本発明による前記シリコンパッキング部がピストン本体にインサート成形方式で一体的に結合されたことにその特徴がある。
【００１６】
本発明による前記シリコンパッキング部はピストン本体の外側上下に少なくとも一つ以上形成され、外周に沿って容器収容部に弾発的に密着するようにラウンド形密着突起が突設されたことにその特徴がある。
【００１７】
本発明による前記シリコンパッキング部は、外側に、容器収容部に対する気密を確保しながら水平状態の均衡を維持するように、上下にメイン密着突起と補助密着突起が突設され、前記補助密着突起には、メイン密着突起と補助密着突起の間に形成される空間部の真空防止のための開口が形成されたことにその特徴がある。
【００１８】
本発明による前記ピストンの本体は、三角形、四角形、五角形、六角形、八角形のような多角形構造、あるいは楕円形、半円形、クローバー形その他の自由曲線形のような構造のいずれか一つで容器収容部と対応するように形成され、前記ピストン本体の外周に沿って内部が中空となり、外側にラウンド形密着突起を持つシリコンパッキング部が上下に結合して容器収容部の内壁面と全体的に均一に密着して気密を確保するようにしたことにその特徴がある。
【００１９】
本発明による前記ピストンの本体は、三角形、四角形、五角形、六角形、八角形のような多角形構造、あるいは楕円形、半円形、クローバー形その他の自由曲線形のような構造のいずれか一つで容器収容部と対応するように形成され、前記ピストン本体の外周に沿って外側にラウンド形密着突起を持つシリコンパッキング部が上下にインサート成形によって一体的に結合されて容器収容部の内壁面と全体的に均一に密着して気密を確保するようにしたことにその特徴がある。
【発明の効果】
【００２０】
このような本発明は、ピストン本体の外周に沿ってシリコンパッキング部をインサート成形で一体的に結合して製造するので、製造生産性の向上はもちろんのこと、容器とピストンが直接密着するものではなくてピストンの外側シリコンパッキング部が全体として均一に密着するようになるので、ピストンの形状に関係なく容器との優れた気密性を確保することができ、内容物の漏出防止及び内容物の吐出使用を効果的に提供することはもちろんのこと、容器の形状を従来とは異なり、三角形、四角形、五角形、六角形、八角形などのような多角形構造、あるいは楕円形、半円形その他の自由曲線形のように多様に具現することができ、優れた商品性を提供する効果を持つ。
【００２１】
また、容器の内部においてピストンの上昇作動の際、容器との摩擦を最小化し、水平均衡をよく維持してピストンの上昇作動性を改善するので、内容物の吐出使用の効果を一層優秀に提供する効果を持つ。
【図面の簡単な説明】
【００２２】
【図１】本発明が適用されたエアレスタイプ化粧品容器の一実施例を示す一部断面状態の正面図である。
【図２】本発明の一実施例を示す正面図である。
【図３】本発明の他の実施例を示す正面図である。
【図４】本発明のさらに他の実施例を示す正面図である。
【図５】図４の“Ａ”部の拡大図である。
【図６】本発明のさらに他の実施例を示す正面図である。
【図７】図６の“Ｂ”部の拡大図である。
【図８】本発明のさらに他の実施例を示す正面図である。
【図９】図８の斜視図である。
【図１０】本発明のピストンが適用された容器の多様な実施例を示す平断面図である。
【図１１】本発明のピストンが適用された容器の多様な実施例を示す平断面図である。
【図１２】本発明のピストンが適用された容器の多様な実施例を示す平断面図である。
【図１３】本発明のピストンが適用された容器の多様な実施例を示す平断面図である。
【図１４】本発明のピストンが適用された容器の多様な実施例を示す平断面図である。
【図１５】本発明のピストンが適用された容器の多様な実施例を示す平断面図である。
【図１６】本発明のピストンが適用された容器の多様な実施例を示す平断面図である。
【図１７】本発明のピストンが適用された容器の多様な実施例を示す平断面図である。
【図１８】本発明のピストンが適用された容器の多様な実施例を示す平断面図である。
【発明を実施するための形態】
【００２３】
以下、前記のような本発明の好適な実施例を添付図面に基づいて具体的に説明する。
【００２４】
本発明エアレスタイプ化粧品容器のピストンは、図１〜図１８に示すように、容器２の内部の収容部３に挿入され、エアレスポンプ６の押圧動作によって上昇しながら内容物を吐き出し、前記ピストン本体１０の外周に沿ってシリコンパッキング部２０を突設することにより、前記シリコンパッキング部が容器の収容部３の内壁面と全体として均一に密着して気密を確保するようになった。
【００２５】
特に、前記シリコンパッキング部２０はピストン本体１０の外周に沿ってＯリングの方式で結合することもできるが、好ましくはインサート成形方式で一体的に結合するように構成される。
【００２６】
すなわち、前記シリコンパッキング部２０をピストン本体１０の外側にインサート成形方式で一体的に結合することにより、ピストンの形状に関係なく、ピストンの外周に沿ってシリコンパッキング部２０を一定して突設することができる。
【００２７】
また、前記シリコンパッキング部２０は、図２及び図３に示すように、ピストン本体１０の外側に一つだけ形成するか、あるいは上下に少なくとも一つ以上複数形成することもできる。
【００２８】
そして、前記シリコンパッキング部２０は、容器収容部３の内壁面との摩擦力を最小化するために、外周に沿ってラウンド形密着突起２１を突設して構成される。
【００２９】
また、前記シリコンパッキング部２０は、容器の収容部３の内壁面との気密性及び上昇作動性を優秀に確保するために、シリコン、ゴムまたはその類似の材質を使うことが好ましい。
【００３０】
このような本発明の実施例は、容器収容部３にピストン本体１０の外周に沿って単数または複数のシリコンパッキング部２０を上下にインサート成形して一体的に結合したピストンを挿入するので、容器収容部３との優れた気密性を確保する。
【００３１】
すなわち、前記ピストン本体１０の外周に沿ってシリコンパッキング部２０が全体として均一に突設されているので、従来のようにピストン本体が容器収容部の内壁面に直接接触するものではなく、ピストン本体の外側に加わる力をどの程度均一に確保するとともに、シリコンパッキング部２０が容器収容部３の内壁面と全体として均一に密着して優れた気密性を確保する。
【００３２】
また、前記ピストン本体１０の外周に沿ってシリコンパッキング部２０が全体として均一に突設されているので、容器の形状を図１０〜図１８の三角形、四角形、五角形、六角形、八角形などのような多角形構造、あるいは楕円形、半円形その他の自由曲線形のように多様に形成しても、シリコンパッキング部２０が容器収容部３の内壁面と全体として均一に密着して優れた気密性を確保する。
【００３３】
これにより、内容物がピストンの下部に漏出することを防止することはもちろんのこと、エアレスポンプの作動による真空圧が高くなって内容物の定量吐出も効果的に提供する。
【００３４】
さらに、前記シリコンパッキング部２０は外周に沿ってラウンド形密着突起２１が突設されているため、容器収容部３の内壁面と面接触ではない線接触によって気密を確保するので、優れた気密性を確保するとともに摩擦力を最小化して、ピストンの上昇作動性、つまり内容物の定量吐出作動を一層効果的に提供する。
【００３５】
一方、本発明のシリコンパッキング部２０は、図８及び図９に示すように実施することができる。これは、前述した実施例をより具体化するもので、シリコンパッキング部２０の外側に容器収容部との気密を確保するとともに、水平状態の均衡を維持するように上下にメイン密着突起２２と補助密着突起２３を突設し、前記補助密着突起２３にはメイン密着突起と補助密着突起の間に形成される空間部２４の真空防止のための開口２３ａを形成して構成された。
【００３６】
この際、前記シリコンパッキング部２０は、メイン密着突起２２と補助密着突起２３を互いに分離して形成することができるが、一体的に形成することが好ましい。
【００３７】
このような本発明の実施例は、シリコンパッキング部２０の上部と下部のメイン密着突起２２と補助密着突起２３によって容器収容部の内壁面に全体として均一に密着して気密を確保する。
【００３８】
特に、上部位置のメイン密着突起２２は主に容器収容部の内壁面に密着して気密を確保し、下部位置の補助密着突起２３は気密を確保するとともにピストン本体１０が上昇するときに水平状態の均衡を維持するので、優れたピストンの上昇作動を提供する。
【００３９】
このために、前記メイン密着突起２２は複数の突起構造、補助メイン密着突起２３は単数の突起構造を採択する。
【００４０】
また、前記メイン密着突起２２と補助密着突起２３は上下に離隔して形成されているため、ピストンの上昇作動の際、前記メイン密着突起と補助密着突起の間に形成される空間部２４で真空が発生してピストンの上昇作動を阻害することができる。この際、前記補助密着突起２３に形成された開口２３ａによって真空の発生を防止するので、優れたピストンの上昇作動性を提供する。
【００４１】
また、本発明のピストン本体１０は、図４〜図７、図１０〜図１５に示すように実施することができる。これは前述した実施例をより具体化するもので、三角形、四角形、五角形、六角形、八角形のような多角形構造、あるいは楕円形、半円形その他の自由曲線形のような構造のいずれか一つで容器収容部３と対応するように形成し、前記ピストン本体１０の外周に沿って、内部が中空２０ａとなり外側にラウンド形密着突起２１を持つシリコンパッキング部２０を上下に結合するか、あるいは前記ピストン本体１０の外周に沿って、外側にラウンド形密着突起２１を持つシリコンパッキング部２０を上下にインサート成形して一体的に結合することにより、容器収容部３の内壁面に対する気密を確保するようにした。
【００４２】
このような本発明の実施例は、ピストン本体１０は内部が中空２０ａをなし、外側にラウンド形密着突起２１を形成するか、あるいは外側にラウンド形密着突起２１のみが形成されたシリコンパッキング部２０を上下に結合するかインサート成形方式で一体的に結合することにより、内容物の漏出防止、内容物の吐出作動及びピストンの上昇作動性を優秀に提供する前述したような諸般効果を同様に持つ。
【００４３】
特に、前記ピストン本体１０と前記ピストン本体が挿入される容器の内部収容部３の形状として、三角形、四角形、五角形、六角形、八角形のような多角形構造、あるいは楕円形、半円形その他の自由曲線形のような構造のいずれか一つを採択することができるので、従来の化粧品容器で具現できない多様な形状を製造することができ、優れた商品性を提供する。
【００４４】
0005594504.tif 000002
【図１】
0005594504.tif 000003
【図２】
0005594504.tif 000004
【図３】
0005594504.tif 000005
【図４】
0005594504.tif 000006
【図５】
0005594504.tif 000007
【図６】
0005594504.tif 000008
【図７】
0005594504.tif 000009
【図１０】
0005594504.tif 000010
【図１１】
0005594504.tif 000011
【図１２】
0005594504.tif 000012
【図１３】
0005594504.tif 000013
【図１４】
0005594504.tif 000014
【図１５】
0005594504.tif 000015
【図１６】
0005594504.tif 000016
【図１７】
0005594504.tif 000017
【図１８】
0005594504.tif 000018
【図８】
0005594504.tif 000019
【図９】
0005594504.tif 000020